(57)【要約】【課題】延長管の掃除機本体からの取り外しが容易な電気掃除機の提供。【解決手段】掃除機本体１の下部に取り付けられ、被清掃面の塵埃を吸引する第１の吸引口２ａを有する床用吸込具２と、一端が掃除機本体１に取り付けられたホース３と、一端がホース３の他端に取り付けられとともに第２の吸引口４ｂを有し掃除機本体１に着脱自在の延長管４とを備え、掃除機本体１には、延長管４が掃除機本体１に取り付けられた状態で、延長管４と掃除機本体１との係合を解除する延長管取り外し操作部７が設けられ、掃除機本体１が動作している状態で使用者によって延長管取り外し操作部７が操作された場合、電動送風機５の運転を停止するもので、収納状態で掃除機本体１が動作している状態で使用者が延長管４を掃除機本体１から取り外すとき、電動送風機５による吸引風が作用しないので延長管４の吸い付きが無く、延長管４の取り外しが容易になる。【選択図】図１
2014121423.tif 000002
【特許請求の範囲】
【請求項１】
吸引風を発生させる電動送風機を内蔵する掃除機本体と、前記掃除機本体に取り付けられ、前記電動送風機で発生された吸引風によって吸引された塵埃を捕集する集塵装置と、前記掃除機本体の下部に取り付けられ、被清掃面の塵埃を吸引する第１の吸引口を有する床用吸込具と、一端が前記掃除機本体に取り付けられたホースと、一端が前記ホースの他端に取り付けられ第２の吸引口を有する延長管とを備え、前記延長管は前記掃除機本体と着脱自在に取り付けられており、前記掃除機本体には、前記延長管が前記掃除機本体に取り付けられた状態で、前記延長管と前記掃除機本体との係合を解除する延長管取り外し操作部が設けられており、前記掃除機本体が動作している状態で使用者によって前記延長管取り外し操作部が操作された場合、前記電動送風機の運転を停止させる電気掃除機。
【請求項２】
延長管には凹部が設けられており、延長管取り外し操作部には、前記凹部と係合し前記延長管を前記掃除機本体に保持する爪部が設けられており、前記爪部は、前記延長管が前記掃除機本体から取り外される際に、前記延長管に当接するように構成されており、前記爪部が前記延長管に当接されている間は、電動送風機を停止する請求項１に記載の電気掃除機。
【請求項３】
掃除機本体に延長管を収納する延長管収納部を設け、爪部を前記延長管収納部の収納口の近傍に配置した請求項２に記載の電気掃除機。
【請求項４】
延長管取り外し操作部に配された延長管取り外しボタンと、前記延長管取り外しボタンの動作に連動するとともに電動送風機への通電をＯＮ／ＯＦＦするスイッチを設け、前記スイッチの開閉手段を前記延長管取り外しボタン側に構成させた請求項１〜３の何れか１項に記載の電気掃除機。
【請求項５】
延長管取り外し操作部の動作に連動するとともに電動送風機への通電をＯＮ／ＯＦＦするスイッチを設け、前記スイッチに光学式スイッチを用いた請求項１〜３の何れか１項に記載の電気掃除機。
【請求項６】
延長管取り外しボタンと爪部を一体部品とし、延長管取り外し操作部の操作をスライド式とした請求項４または５に記載の電気掃除機。
【発明の詳細な説明】
【技術分野】
【０００１】
本発明は、電気掃除機に関するもので、特に縦型の電気掃除機に関するものである。
【背景技術】
【０００２】
従来の縦型の電気掃除機は、収納状態において使用者が吸込口を有する延長管を掃除機本体から取り外す場合、延長管取り外しボタンを押し、延長管を取り外すようになっていた（例えば、特許文献１参照）。
【先行技術文献】
【特許文献】
【０００３】
【特許文献１】特開２００８−８００４３号公報
【発明の概要】
【発明が解決しようとする課題】
【０００４】
しかしながら、上記特許文献１に記載されたような従来の電気掃除機の構成では、収納状態でかつ掃除機本体が動作している状態で使用者が延長管を掃除機本体から取り外すとき、電動送風機で発生された吸引風によって延長管に負荷がかかってしまい、延長管が取り外しにくいという課題があった。
【０００５】
本発明は、上記従来の課題を解決するものであり、掃除機本体が収納状態のときでも延長管の取り外しが容易な電気掃除機を提供することを目的とする。
【課題を解決するための手段】
【０００６】
前記従来の課題を解決するために、本発明の電気掃除機は、吸引風を発生させる電動送風機を内蔵する掃除機本体と、前記掃除機本体に取り付けられ、前記電動送風機で発生された吸引風によって吸引された塵埃を捕集する集塵装置と、前記掃除機本体の下部に取り付けられ、被清掃面の塵埃を吸引する第１の吸引口を有する床用吸込具と、一端が前記掃除機本体に取り付けられたホースと、一端が前記ホースの他端に取り付けられ第２の吸引口を有する延長管とを備え、前記延長管は前記掃除機本体と着脱自在に取り付けられており、前記掃除機本体には、前記延長管が前記掃除機本体に取り付けられた状態で、前記延長管と前記掃除機本体との係合を解除する延長管取り外し操作部が設けられており、前記掃除機本体が動作している状態で使用者によって前記延長管取り外し操作部が操作された場合、前記電動送風機の運転を停止させるもので、収納状態において掃除機本体が動作している状態で使用者が延長管を掃除機本体から取り外すとき、電動送風機を停止させ、電動送風機で発生された吸引風による延長管の吸い付きを防止することができ、延長管の取り外しの容易化を図ることができる。
【発明の効果】
【０００７】
本発明の電気掃除機は、収納状態において掃除機本体が動作している状態で使用者が延長管を掃除機本体から取り外すとき、電動送風機を停止させ、電動送風機で発生された吸引風による延長管の吸い付きを防止することができ、延長管の取り外しの容易化を図ることができる。
【図面の簡単な説明】
【０００８】
【図１】本発明の実施の形態１における電気掃除機の収納状態での斜め前方からの斜視図
【図２】同電気掃除機の収納状態における風路および空気の流れを示す右断面図
【図３】同電気掃除機の風路および空気の流れを示す背面断面図
【図４】同電気掃除機の風路および空気の流れを示す右断面図
【図５】同電気掃除機の集塵装置の斜め後方からの斜視図
【図６】同電気掃除機の収納状態における延長管取り外し操作部の拡大右断面図
【図７】同延長管取り外し操作部が操作された際の延長管取り外しボタン操作部の拡大右断面図
【図８】同電気掃除機の爪部の位置を示した延長管取り外し操作部の部分右断面図
【図９】同電気掃除機の回路例図
【図１０】同延長管取り外し操作部の他の例（延長管取り外しボタン側でのスイッチの開閉構成例、収納状態）を示す拡大右断面図
【図１１】同延長管取り外し操作部の構成例（延長管取り外しボタン側でのスイッチの開閉構成例、延長管取り外しボタン操作時）を示す拡大右断面図
【図１２】同延長管取り外し操作部の他の例（光学式スイッチを用いた例、収納状態）を示す拡大右断面図
【図１３】同延長管取り外し操作部の構成例（光学式スイッチを用いた例、延長管取り外しボタン操作時）を示す拡大右断面図
【図１４】同延長管取り外し操作部の構成例（取り外し操作部をスライド式とした構成例、収納状態）を示す拡大右断面図
【図１５】同延長管取り外し操作部の構成例（取り外し操作部をスライド式とした構成例、延長管取り外しボタン操作時）を示す拡大右断面図
【発明を実施するための形態】
【０００９】
第１の発明は、吸引風を発生させる電動送風機を内蔵する掃除機本体と、前記掃除機本体に取り付けられ、前記電動送風機で発生された吸引風によって吸引された塵埃を捕集する集塵装置と、前記掃除機本体の下部に取り付けられ、被清掃面の塵埃を吸引する第１の吸引口を有する床用吸込具と、一端が前記掃除機本体に取り付けられたホースと、一端が前記ホースの他端に取り付けられ第２の吸引口を有する延長管とを備え、前記延長管は前記掃除機本体と着脱自在に取り付けられており、前記掃除機本体には、前記延長管が前記掃除機本体に取り付けられた状態で、前記延長管と前記掃除機本体との係合を解除する延長管取り外し操作部が設けられており、前記掃除機本体が動作している状態で使用者によって前記延長管取り外し操作部が操作された場合、前記電動送風機の運転を停止させるもので、収納状態において掃除機本体が動作している状態で使用者が延長管を掃除機本体から取り外すとき、電動送風機を停止させ、電動送風機で発生された吸引風による延長管の吸い付きを防止することができ、延長管の取り外しの容易化を図ることができる。
【００１０】
第２の発明は、特に、第１の発明の延長管には凹部が設けられており、延長管取り外し操作部には、前記凹部と係合し前記延長管を前記掃除機本体に保持する爪部が設けられており、前記爪部は、前記延長管が前記掃除機本体から取り外される際に、前記延長管に当接するように構成されており、前記爪部が前記延長管に当接されている間は、電動送風機を停止するもので、掃除機本体から延長管を取り外す場合、電動送風機の駆動を遅らせ、電動送風機で発生された吸引風による延長管の吸い付きを軽減することができ、延長管の取り外しの容易化が図れる。
【００１１】
第３の発明は、特に、第２の発明の掃除機本体に延長管を収納する延長管収納部を設け、爪部を前記延長管収納部の収納口の近傍に配置したもので、掃除機本体から延長管を取り外す場合、延長管が延長管収納部から抜けるまで電動送風機の駆動を遅らせ、電動送風機で発生された吸引風による延長管の吸い付きを軽減することができ、延長管の取り外しの容易化が図れる。
【００１２】
第４の発明は、特に、第１〜３のいずれかひとつの発明の延長管取り外し操作部に配さ
れた延長管取り外しボタンと、前記延長管取り外しボタンの動作に連動するとともに電動送風機への通電をＯＮ／ＯＦＦするスイッチを設け、前記スイッチの開閉手段を前記延長管取り外しボタン側に構成させたもので、延長管取り外しボタンの操作でスイッチの開閉動作を確実に行うことができる。
【００１３】
第５の発明は、特に、第１〜３のいずれかひとつの発明の延長管取り外し操作部の動作に連動するとともに電動送風機への通電をＯＮ／ＯＦＦするスイッチを設け、前記スイッチに光学式スイッチを用いたもので、スイッチの動作ポイントの精度向上が図れるとともに、動作ポイントを容易に調整することができる。
【００１４】
第６の発明は、特に、第４または第５の発明の延長管取り外しボタンと爪部を一体部品とし、延長管取り外し操作部の操作をスライド式としたもので、構造を簡素化できると共に部品点数を減らすことにより安価な電気掃除機を提供することができる。
【００１５】
以下、本発明の実施の形態について、図面を参照しながら説明する。なお、この実施の形態によってこの発明が限定されるものではない。
【００１６】
（実施の形態１）
本発明の実施の形態１における電気掃除機について、図１〜９を用いて説明する。図１は、本発明の実施の形態１における電気掃除機の収納状態での斜め前方からの斜視図である。図２は、同電気掃除機の収納状態における風路および空気の流れを示す右断面図、図３は、同電気掃除機の風路および空気の流れを示す背面断面図、図４は、同電気掃除機の風路および空気の流れを示す右断面図、図５は、同電気掃除機の集塵装置の斜め後方からの斜視図、図６は、同電気掃除機の収納状態における延長管取り外し操作部の拡大右断面図、図７は、同延長管取り外し操作部が操作された際の延長管取り外しボタン操作部の拡大右断面図、図８は、同電気掃除機の爪部の位置を示した延長管取り外し操作部の部分右断面図、図９は、同電気掃除機の回路例図である。
【００１７】
図１〜９において、本実施の形態における電気掃除機は、吸引風を発生させる電動送風機５を内蔵する掃除機本体１と、掃除機本体１に取り付けられ、電動送風機５で発生された吸引風によって吸引された塵埃を捕集する集塵装置６と、掃除機本体１の下部に取り付けられ、被清掃面の塵埃を吸引する第１の吸引口２ａを有する床用吸込具２と、一端が前記掃除機本体１に取り付けられたホース３と、一端がホース３の他端に取り付けられるとともに、第２の吸引口４ｂを有し、隙間用吸込具としても使える延長管４とを備えている。
【００１８】
延長管４は、掃除機本体１と着脱自在に取り付けられており、掃除機本体１には、延長管４が掃除機本体１に取り付けられた状態で、延長管４と掃除機本体１との係合を解除する延長管取り外し操作部７が設けられており、掃除機本体１が動作している状態で使用者によって延長管取り外しボタン８が操作された場合、電動送風機５の運転を停止させる。
【００１９】
延長管４には、掃除作業の際に電気掃除機を床面で移動させるためのハンドル４ａが設けられている。
【００２０】
次に図２〜図５を用いて、本実施の形態における電気掃除機の風路および空気の流れについて説明をする。床用吸込具２の第１の吸引口２ａから吸い込まれた塵埃の混ざった空気Ｐ１は、流量調整部２ｂを通り、合流部１ｃに達する。同様に延長管４の第２の吸引口４ｂから吸い込まれた塵埃の混ざった空気Ｐ２も、ホース３を通り、合流部１ｃに達する。
【００２１】
合流部１ｃと集塵装置６の吸気口Ｂ６ｂとは連通しており、塵埃と空気は、メッシュフィルター６ｃ及びプリーツフィルター６ｄによって分離される。集塵装置６の吸気口Ａ６ａと電動送風機５は、掃除機本体１の後方の略上端から略下に掛けて形成された風路１ｄで連通されており、集塵装置６にて分離させた清浄な空気Ｐ３は、電動送風機５へ吸引させる。
【００２２】
また、電動送風機５から排出される排気風Ｐ４は掃除機本体１の後方に形成された排気格子１ｅを通じ外部へと排出される。
【００２３】
図２は、電気掃除機の収納状態を示しており、掃除機本体１が床用吸込具２に対してほぼ垂直な状態であり、このとき、床用吸込具２は、流量調整部２ｂの面積を狭めることにより、流路を塞いでいる。また、第２の吸引口４ｂにおいても、延長管４が延長管収納部１ｆに収納された状態で延長管４と当接し、掃除機本体１との気密性を保持するシール部材１ｇが設けており第２の吸引口４ｂの流路を塞いでいる。
【００２４】
図６〜図８において、延長管取り外し操作部７は、延長管収納部１ｆの壁面に出没する可動部品９と、可動部品９を操作する延長管取り外しボタン８と、可動部品９の内壁に配置された圧縮バネ１０と、可動部品９の凸部９ｂにより掃除機本体１内の電気回路をＯＮ／ＯＦＦするスイッチ１１とを有する。
【００２５】
図６は、収納状態時、図７は、使用者によって延長管取り外しボタン８が操作された場合を示しており、使用者が延長管取り外しボタン８を押した場合（Ｙ方向）、可動部品９が右方向（Ｘ方向）に移動し、可動部品９の凸部９ｂによりスイッチ１１が動作し電動送風機５は停止する。
【００２６】
延長管４には、凹部４ｃが設けられており、延長管取り外し操作部７の可動部品９には、凹部４ｃと係合し延長管４を掃除機本体１に保持する爪部９ａが設けられており、爪部９ａは、延長管４が掃除機本体１から取り外しされる際に、延長管４に当接するように構成されており、延長管取り外し操作部７は、爪部９ａが延長管４に当接されている間は、電動送風機５を停止する。
【００２７】
図８のように爪部９ａの位置を、延長管収納部１ｆの収納口１ｈの近傍に配置することにより掃除機本体１から延長管４を取り外す場合、延長管４が延長管収納部１ｆから抜けるまで電動送風機５の駆動を遅らせ、電動送風機５で発生された吸引風による延長管４の吸い付きを軽減することができ、延長管４の取り外しの容易化が図れる。なお、爪部９ａの位置Ｌ２と延長管収納部１ｆの筒長さＬ１の関係は、Ｌ２≧Ｌ１が望ましい。
【００２８】
図９は、回路図例を示しており、電源のＯＮ／ＯＦＦは、運転操作部４０により行い、延長管取り外し操作部７のスイッチ１１は、ｂ接点で直列に接続されており、延長管取り外し操作部７のスイッチ１１が動作している間は、電動送風機５を停止させる。
【００２９】
図１０〜図１１は、延長管取り外し操作部７のスイッチ１１の開閉手段を延長管取り外しボタン８側で構成した例であり、図１１は、使用者によって延長管取り外しボタン８が操作された場合を示しており、使用者が延長管取り外しボタン８を押した場合（Ｙ方向）、延長管取り外しボタン８の延出部８ａによりスイッチ１１が動作し、電動送風機５は停止する。
【００３０】
上記構成により、可動部品９側でスイッチ１１の開閉動作をしたものと同様の効果が得られる。
【００３１】
また、図１２、図１３は、延長管取り外し操作部７のスイッチを光学式スイッチ１２で構成した例を示すものであり、光学式スイッチ１２は、動作ポイントが安定しているため、スイッチの動作ポイントの精度向上が図れ、動作ポイントを可動部品９の凸部９ｂ形状により容易に調整することができる。
【００３２】
さらに、図１４、図１５は、延長管取り外し操作部の延長管取り外しボタンと可動部品（爪）を一体部品とし、延長管取り外し操作部の操作をスライド式構成とした例を示すもので、図１５は、使用者によって延長管取り外し操作された場合を示しており、延長管取り外し操作部１３の延長管取り外しレバー１３ａを矢印Ｘ０の方向に取り外し操作をすることにより、延長管取り外し操作部１３の凸部１３ｂは矢印Ｘの方向に移動し、凸部１３ｂによりスイッチ１１が動作し、電動送風機５が停止する。
【００３３】
以上のように本実施の形態における電気掃除機によれば、構造を簡素化できると共に部品点数を減らすことにより安価な電気掃除機を提供することができる。
【産業上の利用可能性】
【００３４】
以上のように、本発明の電気掃除機は、延長管の取り外しの容易化を図る目的とするものであり、家庭用、業務用、店舗用などの各種電気掃除機等に適用できる。
【符号の説明】
【００３５】
１  掃除機本体
１ｃ  合流部
１ｄ  風路
１ｅ  排気格子
１ｆ  延長管収納部
１ｇ  シール部材
２  床用吸込具
２ａ  第１の吸引口
２ｂ  流量調整部
３  ホース
４  延長管
４ａ  ハンドル
４ｂ  第２の吸引口
４ｃ  凹部
５  電動送風機
６  集塵装置
６ａ  吸気口Ａ
６ｂ  吸気口Ｂ
６ｃ  メッシュフィルター
６ｄ  プリーツフィルター
７、１３  延長管取り外し操作部
８  延長管取り外しボタン
８ａ  延出部
９  可動部品
９ａ  爪部
９ｂ  凸部
１０  圧縮バネ
１１  スイッチ
１２  光学式スイッチ
１３ａ  延長管取り外しレバー
１３ｂ  凸部
Ｐ１〜Ｐ４  空気
Ｐ４  排気風
【図４】
2014121423.tif 000003
【図５】
2014121423.tif 000004
【図８】
2014121423.tif 000005
【図１５】
2014121423.tif 000006
【図１】
2014121423.tif 000007
【図２】
2014121423.tif 000008
【図３】
2014121423.tif 000009
【図６】
2014121423.tif 000010
【図７】
2014121423.tif 000011
【図９】
2014121423.tif 000012
【図１０】
2014121423.tif 000013
【図１１】
2014121423.tif 000014
【図１２】
2014121423.tif 000015
【図１３】
2014121423.tif 000016
【図１４】
2014121423.tif 000017